(57)【要約】【課題】気温が高い時でも、家畜の食欲を落とさずに飼育する放牧方法を提供すること。【解決手段】飲料水供給管で家畜へ水を供給し、上記飲料水供給管から上記水を飲料水受取管で受取る水循環工程と、柵で囲んで放牧ユニットを形成し上記家畜を閉じ込める閉じ込め工程と、上記飲料水供給管へ上記水を供給し、上記飲料水受取管から上記水を受け取る供給装置の周辺へ、上記柵を移動させ、上記放牧ユニットを定期的に移動させる移動工程と、を含む放牧方法を用いる。【選択図】図３
2020171275.tif 000002
【特許請求の範囲】
【請求項１】
飲料水供給管で家畜へ水を供給し、前記飲料水供給管から前記水を飲料水受取管で受取る水循環工程と、
柵で囲んで放牧ユニットを形成し前記家畜を閉じ込める閉じ込め工程と、
前記飲料水供給管へ前記水を供給し、前記飲料水受取管から前記水を受け取る供給装置の周辺へ、前記放牧ユニットを定期的に移動させる移動工程と、を含み、
前記柵は、第１柵と第２柵とを有し、
前記第１柵は、前記水を供給する飲料水供給管と、前記水を受取る飲料水受取管とを含み、前記水を循環させ、
前記第２柵は、前記飲料水供給管と、前記飲料水受取管とを含まず、
前記移動工程では、前記供給装置の位置を変えず、前記放牧ユニットの位置を、前記供給装置の周辺に一定期間ごとに変える放牧方法。
【請求項２】
前記供給装置は、前記放牧ユニットのコーナ部に位置する請求項１に記載の放牧方法。
【発明の詳細な説明】
【技術分野】
【０００１】  本発明は、放牧方法に関する。
【背景技術】
【０００２】  従来の家畜の飼育方法として、特許文献１、２があった。これらでは、穀物に工夫するものであった。
【先行技術文献】
【特許文献】
【０００３】
【特許文献１】特開２０１７−１６３９８３号公報
【特許文献２】特開２０１６−１３１１６号公報
【発明の概要】
【発明が解決しようとする課題】
【０００４】  しかしながら、夏など気温が高い場合、家畜は食欲がでない。特に、牧場で家畜を放牧させる時には、家畜は、暑さで食欲がでず、成長が悪い。
本発明は、上記従来の課題を解決するもので、気温が高い時でも、家畜の食欲を落とさずに飼育する放牧方法を提供することを課題とする。
【課題を解決するための手段】
【０００５】  従来の課題を解決するために、飲料水供給管で家畜へ水を供給し、上記飲料水供給管から上記水を飲料水受取管で受取る水循環工程と、柵で囲んで放牧ユニットを形成し上記家畜を閉じ込める閉じ込め工程と、上記飲料水供給管へ上記水を供給し、上記飲料水受取管から上記水を受け取る供給装置の周辺へ、上記放牧ユニットを定期的に移動させる移動工程と、を含み、上記柵は、第１柵と第２柵とを有し、上記第１柵は、上記水を供給する飲料水供給管と、上記水を受取る飲料水受取管とを含み、上記水を循環させ、上記第２柵は、上記飲料水供給管と、上記飲料水受取管と、を含まず、上記移動工程では、上記供給装置の位置を変えず、上記放牧ユニットの位置を、上記供給装置の周辺に一定期間ごとに変える放牧方法を用いる。
【発明の効果】
【０００６】  本発明の家畜の飼育方法、牧場では、家畜の食欲を下げずに飼育できる放牧ユニット、牧場、および、放牧方法を提供できる。家畜と牧草の成長の両方が確保できる。牧草の成長を確保できるので、家畜が乳牛の場合、搾乳の量を落とさず確保できる。
【図面の簡単な説明】
【０００７】
【図１】実施の形態１の第１柵と供給装置の斜視図
【図２】実施の形態１の第２柵の斜視図
【図３】実施の形態１の牧場の平面図
【図４】実施の形態１の開口管を示す側面図
【図５】（ａ）実施の形態２の牧場の通常の平面図、（ｂ）実施の形態２の牧場の通常の断面図、（ｃ）実施の形態２の牧場の涌常の側面図、（ｄ）実施の形態２の牧場の温度制御状態の平面図、（ｅ）実施の形態２の牧場の温度制御状態の断面図、（ｆ）実施の形態２の牧場の温度制御状態の側面図
【発明を実施するための形態】
【０００８】以下本発明の実施の形態について、図面を参照しながら説明する。なお、この実施の形態によって本発明が限定されるものではない。
【０００９】  （実施の形態１）
図１〜図４で実施の形態１を説明する。図１は、放牧ユニット１０１の斜視図である。放牧ユニット１０１には、家畜の飼育ための第１柵１８ａと供給装置１９とがある。図２は、放牧ユニット１０１に、追加可能な第２柵１８ｂの斜視図である。図３は、実施の形態１の牧場１００の平面図である。
【００１０】  図３に示すように、家畜３１を放牧する放牧場５２は、放牧ユニット１０１（第２柵１８ｂと供給装置１９と第１柵１８ａ）で囲まれる。供給装置１９は、離れた別の場所でもよい。家畜３１は、牛、馬、羊などであるが、ブタ、犬などでもよい。
第１柵１８ａは、放牧場５２を囲むだけでなく、水、肥料などを輸送するものである。肥料は、水などに溶かされたものや液体の必要など、液体状態のものである。
【００１１】  供給装置１９は、第１柵１８ａに水、肥料などを供給するものである。もし、水道施設や河川などがあれば、供給装置１９として、それらを利用できる。
＜第２柵１８ｂ＞
第２柵１８ｂは、家畜３１を放牧場５２から出さない柵である。木、金属パイプなどが骨組み３０として、組み合わせされている。また、木とロープ、木と金属線などでもよい。
【００１２】第２柵１８ｂは、下部に杭４０を有し、地面に杭４０を刺すことで、第２柵１８ｂは。独立して設置される。水、肥料などを供給する飲料水供給管１１〜肥料水受取管１４などを有してもよい。または、飲料水供給管１１〜肥料水受取管１４などを有さず、単なる家畜を閉じ込める柵でもよい。第２柵１８ｂは、三角柱状である。
【００１３】  ＜第１柵１８ａ＞
第１柵１８ａは、上記第２柵１８ｂの役割をもち、さらに、水や肥料を運搬する役割をもつ。骨組み３０、杭４０は上記と同様である。飲料水供給管１１は、略水平に配置される。ただし、水を流しやすいように、傾斜させてもよい。三角柱を寝かせた形状であるが、直方体の壁のような形状でもよい。第２柵１８ｂと同様の形状である。
【００１４】  第１柵１８ａは、飲料水供給管１１、飲料水受取管１２、肥料水供給管１３、肥料水受取管１４、循環部４０ａを有する。これらにより、水、肥料を循環できる。飲料水供給管１１は、飲料水受取管１２より上方にあり、肥料水供給管１３は、肥料水受取管１４より上方にあるのが好ましい。重力で水、肥料が流れやすい。
飲料水供給管１１は、供給装置１９より水を受け取り、流す。飲料水供給管１１は、循環部４０ａへ水を渡す。水は、家畜３１が飲む水である。飲料水供給管１１、または、飲料水受取管１２には、開口３８を有する。開口３８から家畜３１は水を飲む。飲料水供給管１１の開口３８以外は蓋３３がある。また、開口３８の部分に貯め部３１ａがあると好ましい。貯め部３１ａは、凹部であり、水を貯める。貯め部３１ａ、開口３８は、飲料水受取管１２にあってもよい。
家畜３１は、水を飲みやすい。水が流れる通路のいずれかに、ゴミを除くフィルター３４があると好ましい。
なお、開口３８を有する開口管１５を用いてもよい。つまり、図４に示すように、複数の飲料水供給管１１間に開口管１５を設けてもよい。さらに、複数の飲料水受取管１２間、または、飲料水供給管１１と飲料水受取管１２との間に、開口管１５を設けてもよい。
【００１５】  循環部４０ａは、飲料水供給管１１から水を受け取り、飲料水受取管１２へ渡す。垂直方向に略平行に配置される。
飲料水受取管１２は、循環部４０ａからの水を供給装置１９へ渡す。
【００１６】  肥料水供給管１３は、水平方向に位置する。肥料水供給管１３は、供給装置１９から、水または肥料などを受け取り、放出口３９より牧草３２へ噴霧する。牧草３２を成長させるためである。あまった水または肥料は、肥料水受取管１４へ送る、なお、夏の暑い時には、放出口３９より水を家畜３１へ噴霧してもよい。
肥料水受取管１４は、水平方向に位置する。肥料水受取管１４は、肥料水供給管１３から、水または肥料を受け取り、供給装置１９へ戻す。なお、肥料水受取管１４はない場合がある。水または肥料を循環させない場合である。
【００１７】  循環部４０ａは、垂直方向にあり、飲料水供給管１１と飲料水受取管１２とを連結するつなぎ目である。飲料水供給管１１からの水を、飲料水受取管１２へ送る。
循環部４０ｂは、垂直方向になり、肥料水供給管！３と肥料水受取管１４とを連結するつなぎ目である。肥料水供給管１３からの水、または肥料を、肥料水受取管１４へ送る。
【００１８】  なお、循環部４０ａ、４０ｂを無くし、２つの管を直接つないでもよい。
飲料水供給管１１は、飲料水受取管１２より上部にあることが好ましい。肥料水供給管１３は、肥料水受取管１４より上部にあるのが好ましい。水、または、肥料が流れやすい。
飲料水供給管１１は、肥料水供給管１３より下部に位置するのが好ましい。これは、飲料水供給管１１から、家畜３１は水の飲むため、また。肥料水供給管１３の放出口３９から水、または、肥料を牧草３２へ散布するためである。
＜供給装置１９＞
供給装置１９は、第１ポンプ部２１、第２ポンプ部２２、２次電池６３、第１貯蔵部６１、第２貯蔵部６２と、を有する。
【００１９】  第１ポンプ部２１は、飲料水供給管１１に水を送り、飲料水受取管１２から水を受け取る。水を循環させる。第１貯蔵部６１から水は補給される。
第２ポンプ部２２は、肥料水供給管１３に水または肥料を送り、肥料水受取管１４から水または肥料を受け取る。水または肥料を循環させる。第２貯蔵部６２から水または肥料は補給される。
なお、牧場１００が傾斜地などの場合で、水が第１ポンプ部２１、第２ポンプ部２２へ戻らない場合には、別途、第３ポンプを使用し、飲料水受取管１２、肥料水受取管１４、または、第１ポンプ部２１、第２ポンプ部２２へ戻してもよい。
【００２０】  ２次電池６３は、蓄電池など電気を保存するものである。第１ポンプ部２１、第２ポンプ部２２へ電力を供給する。
第１貯蔵部６１は、水を保存し、第１ポンプ部２１へ水を補給する。
【００２１】  第２貯蔵部６２は、水または肥料を保存し、第２ポンプ部２２へ水または肥料を補給する。
＜接統部＞
第１柵１８ａと供給装置１９とは、第１接続部２５ａで、それぞれの管が接続される。第１ポンプ部２１、第２ポンプ部２２と、第１貯蔵部６１、第２貯蔵部６２とは、それぞれ、第４接続部２５ｄで接続される。
第２柵１８ｂは、第１柵１８ａや供給装置１９とは、別途、独立して放牧場５２に設置されているが、第１柵１８ａや供給装置１９と接続してもよい。第２柵１８ｂと第１柵１８ａとは、第２接続部２５ｂ、第２柵１８ｂと第２柵１８ｂとは、第３接続部２５ｃで接続されてもよい。
【００２２】  ＜プロセス１＞
水、肥料の提供方法は以下である。
（１）水
水は、第１ポンプ部２１から、飲料水供給管１１へ流される。水は飲料水供給管１１を流れる途中で、家畜３１に、一部、開口３８から飲まれる。他の水は、循環部４０ａを経て、飲料水受取管１２へ流れ、第１ポンプ部２１へ戻る。水は循環するので、虫の発生など起こりにくい。水は定期的に廃棄される。
【００２３】  第１ポンプ部２１から水がでて戻るまでにフィルター３４を設けるとさらによい。微生物の発生、ゴミを除去できる。
（２）肥料または水
第２ポンプ部２２から水または肥料は、肥料水供給管１３へ流される。水または肥料は肥料水供給管１３を流れる途中で、放出口３９から、外部（放牧場５２）へ放出（噴霧）される。牧草３２へ噴霧される。他の水または肥料は、循環部４０ｂを経て、肥料水受取管１４へ流れ、第２ポンプ部２２へ戻る。ただし、水または肥料を肥料水受取管１４へ流して、第２ポンプへ戻さなくともよい。水または肥料を肥料水受取管１４へ流して、第２ポンプへ戻す時は、均質な肥料、水を牧草３２へ提供できる。
【００２４】  ＜効果＞
実施の形態１の放牧ユニット１０１では、水を循環させ、微生物などが発生しない水を家畜３１に与えるので、家畜３１の食欲を下げずに飼育できる。また、牧草３２にも水または肥料を与え成長させる。結果、家畜３１が牧草３２を食べ、飼育できる。
なお、上記では、第１柵１８ａに飲料水供給管１１と、飲料水受取管１２とがあるとした。肥料水供給管１３、肥料水受取管１４、第２貯蔵部６２、第２ポンプ部２２は、必須でなくあれば好ましい。
【００２５】  （別例１）：温度調整部２３
上記との相違点は、供給装置１９に温度調整部２３（図１）があることである。説明しない事項は、上記と同様である。家畜３１は、夏など気温が高い時には、食欲がない。温度調整部２３で冷水を飲料水供給管１１に流すことで、体温を下げ。食欲を回復させる。
温度調整部２３として、コンプレッサー、放熱器、チラー、ヒータなどで水を冷却、温めをしてもよい。
【００２６】  温度調整部２３は、ペルチエ素子などである。冷却、温めができる。夏は、水を冷却し、冬は、水が凍らないように温めるのがよい。
結果、家畜３１の食欲が落ちず、成長が促進される。
【００２７】  （別例２）：移動
この例では、放牧場５２を変更するものである。説明しない事項は、上記と同様である。図３で、放牧場５２の牧草３２は、家畜３１により食べられ減る。そのため、放牧場５２を、移動させるのがよい。
【００２８】  この場合、供給装置１９は移動させず、供給装置１９の周辺に、第１柵１８ａ、第２柵１８ｂを移動させる。
例として、図３の牧草成長場５１へ、放牧場５２を移動させる。放牧ユニット１０１の一部を移動させる。
【００２９】  この場合、第１柵１８ａは、飲料水供給管１１、飲料水受取管１２などがあり、移動に時間、手間を要する。そのため、第１柵１８ａを移動させず、第２柵１８ｂを、隣接する牧草成長場５１へ移動させるのが好ましい。結果、放牧場５２と牧草成長場５１とが入れ替わる。結果、牧草３２を成長させっつ、家畜３１の放牧ができる。
【００３０】  なお、一定期間ごとに、供給装置１９の周辺へ、順次、放牧場５２を移動させるとよい。さらに、上記で、第１柵１８ａを移動させず、常駐させてもよい。つまり、第１柵１８ａ、供給装置１９は移動させず、放牧場５２と牧草成長場５１とを入れ替えるのみでもよい。
＜プロセス２＞：移動
放牧方法は、以下からなる。
（１）水循環工程
飲料水供給管１１で家畜３１へ水を供給し、飲料水供給管１１から水を飲料水受取管１２で受取る。なお、管や柵を利用せずに、水を循環させて家畜３１へ水を提供してもよい。
（２）閉じ込め工程
第１柵１８ａと第２柵１８ｂとで囲んで放牧ユニット１０１を形成し家畜３１を閉じ込める。なお、第１柵１８ａは必須ではなく、第２柵１８ｂのみでもよい。
（３）移動工程
水を供給し、受け取る供給装置１９の周辺へ、第２柵１８ｂを移動させ、前記放牧ユニットを定期的に移動させる。第１柵１８ａは動かさないのが好ましいが、動かしてもよい。
【００３１】  また、放牧場５２、または、牧草成長場５１を、第１柵１８ａで囲み、水を、放牧場５２、または、牧草成長場５１の全周で循環させてもよい。この場合、飲料水受取管１２は不要となる。
（実施の形態２）：太陽光パネル
実施の形態２では、上記実施の形態１の第１柵１８ａ、または、第２柵１８ｂなどの柵に太陽光パネル７０を加える。説明しない事項は、実施の形態１と同様である。太陽光パネル７０でつくられる電気は、２次電池６３で蓄えられる。この電気は、第１ポンプ部２１、第２ポンプ部２２、温度調整部２３などで使用される。放牧場５２の周辺には、電源がない場合が多く、太陽光パネル７０で電気をつくり、使用することは有効である。
ただし、第１柵１８ａとして、実施の形態１のように各種配管を有さなくともよい。単に家畜を囲む第２柵１８ｂだけでもよい。別途、水を循環供給すればよい。
【００３２】  図５（ａ）〜図５（ｃ）は、通常の牧場１００状態を示す。図５（ｄ）〜図５（ｆ）は、温度制御状態の牧場１００の状態を示す図である。図５（ａ）と図５（ｄ）は平面図、図５（ｂ）と図５（ｅ）は断面図、図５（ｃ）と図５（ｆ）は側面図である。
通常状態では、太陽光パネル７０は、第１柵１８ａ、第２柵１８ｂの側面に位置する。
温度制御状態では、太陽光パネル７０は、屋根を形成する。支柱７３で太陽光パネル７０を支え、放牧場５２を太陽光パネル７０で覆う。側面など開いた部分は、カーテン７１で埋める。結果、密閉空間となる。カーテン７１は、気体を通過させない樹脂シートが好ましい。または、カーテン７１として、樹脂製のプレートでもよい。
【００３３】  上記の状態変化に対応し、太陽光パネル７０は、柵の側面と上方とに移動可能である。移動可能とは、太陽光パネル７０が柵に、数点の止め具で固定され、かつ、数点の止め具を外すことで取り外されることを意味する。太陽光パネル７０は、楷の側面と上方とに、それぞれ、止め具で固定される。
【００３４】  太陽光パネル７０は、通常状態でも温度制御状態でも、太陽光により電気を作り２次電池６３に蓄える。
密閉空間の時に、第１柵１８ａ、または、第２柵１８ｂに配置された管７２で、冷気、または、暖気を密閉空間へ噴き出す。
真夏の昼間、真冬の早朝、夕方には、密閉空間を作製する。家畜３１は、真冬、真夏での食欲を落とさず、よく成長する。
供給装置１９の温度調整部２３のペルチエ素子、または、コンプレッサー、または、ヒータを利用して、冷気、または、暖気を管７２へ供給する。または、供給装置１９に冷風機、または、エアコンを配置し、冷風を管７２へ供給してもよい。
【００３５】＜プロセス＞
放牧方法は、以下を含む。
（１）閉じ込め工程
第２柵１８ｂまたは第１柵１８ａ、または、両方で囲んで放牧ユニット１０１を形成し家畜３１を閉じ込める。
（２）水循環工程
家畜３１へ水を供給し、その水を受取る。実施の形態１と同様、第１柵１８ａを利用してもよい。水を循屎させる別の機構を用いてもよい。
（３）密閉工程
放牧ユニット１０１を図５（ｄ）〜図５（ｆ）のように。太陽光パネル７０とカーテン７１で覆うことで密閉空間を作る。
（４）空調工程
密閉された放牧ユニット１０１内へ冷気または暖気を供給する。または、柵に設けた水滴管７４から霧状の水滴を噴射してもよい。夏において、より好ましいのは、冷気と霧状の水滴を噴射とを併用することである。冷気を発生されるには、電力をかなり使うので、霧状の水滴の噴射と併用する。温度を１５℃から２５℃にするのが好ましい。家畜３１の状態をよくできる。
（５）その他
実施の形態１で示したように、移動工程として、一定期間ごとに、放牧場５２を移動させて、（１）〜（４）を実施してもよい。
（４）の後、気温、天候により、開放工程で、カーテン７１を取り除き、太陽光パネル７０を柵へ戻し、また、（３）、（４）を実施してもよい。１日のうちに、（３）（４）の工程をするのが好ましい。
【００３６】  （全体として）
上記実施の形態１と２とは組み合わせできる。牧草３２としては、例えば、イタリアンライグラス、オーチャードグラス、トールフェスク、ケンタッキーブルーグラスなどである。雑草でもよい。
【産業上の利用可能性】
【００３７】本発明の放牧ユニットと牧場と放牧方法は、多くの地域で利用できる。共同組合、農場組合、農業、酪農に関する会社、個人などで使用できる。
【符号の説明】
【００３８】１１  飲料水供給管、１２  飲料水受取管、１３  肥料水供給管、１４  肥料水受取管、１５  開口管、１８ａ  第１柵、１８ｂ  第２柵、１９  供給装置、２１  第１ポンプ、２２  第２ポンプ、２３  温度調整部、２５ａ  第１接続部、２５ｂ  第２接続部、２５ｃ  第３接続部、２５ｄ  第４接続部、３０  骨組み、３１  家畜、３３  牧草、３４  フィルター、３８  開口、３９  放出口、４０  杭、４０ａ  循環部、４０ｂ  循環部、５１  牧草成長場、５２  放牧場、６１  第１貯蔵部、６２  第２貯蔵部、６３  ２次電池、７０  太陽光パネル、７１  カーテン、７２  管、７３  支柱、７５  水滴管、１００  牧場、１０１  放牧ユニット
【図１】
2020171275.tif 000003
【図２】
2020171275.tif 000004
【図３】
2020171275.tif 000005
【図４】
2020171275.tif 000006
【図５】
2020171275.tif 000007